(57)【要約】      （修正有）【課題】係合爪と係合爪受けの嵌合により第１の筐体と第２の筐体を互いに引き寄せ合う力を生ずる、筐体の連結構造を提供する。【解決手段】筐体は、複数の係合爪１１と、複数の係合爪が連結されている連結体１２と、連結体が一軸方向に摺動可能に設けられる第１の筐体１００と、係合爪が係合される複数の係合爪受け２１と、複数の係合爪受けが設けられる第２の筐体２００と、を備える。第１の筐体と第２の筐体とを向かい合わせ、連結体を一方に摺動させると、係合爪の先端部１５２が係合爪受けに押し込まれ、相互の筐体が連結状態となり、連結体を他方に摺動させると、係合爪の先端部が係合爪受けから引き出され、相互の筐体の連結状態が解除され、係合爪は、第１の筺体側の縁部１５１が先端部に向かって第２の筐体側に傾斜している。【選択図】図２
2011091078.tif 000002
【特許請求の範囲】
【請求項１】
複数の係合爪と、
前記複数の係合爪が連結されている連結体と、
前記連結体が一軸方向に摺動可能に設けられる第１の筐体と、
前記係合爪が係合される複数の係合爪受けと、
前記複数の係合爪受けが設けられる第２の筐体と、を備え、
前記第１の筐体と前記第２の筐体とを向かい合わせ、前記連結体を一方に摺動させると、前記係合爪の先端部が前記係合爪受けに押し込まれ、相互の筐体が連結状態となり、前記連結体を他方に摺動させると、前記係合爪の先端部が前記係合爪受けから引き出され、相互の筐体の連結状態が解除され、
前記係合爪は、前記第１の筺体側の縁部が前記先端部に向かって前記第２の筐体側に傾斜している筐体の連結構造。
【請求項２】
前記連結体は、線材である
請求項１に記載の筐体の連結構造。
【請求項３】
前記連結体は、前記係合爪と弾性体を介して連結しており、
前記弾性体は弾性係数が異なる、
請求項１または請求項２に記載の筐体の連結構造。
【請求項４】
前記連結体は、駆動手段を備えており、
前記駆動手段への入力部は、前記第１の筐体から外部に露出している、
請求項１乃至請求項３のいずれか一項に記載の筐体の連結構造。
【発明の詳細な説明】
【技術分野】
【０００１】
本発明は、筐体の連結構造に関する。
【背景技術】
【０００２】
近年、携帯端末など小型の電気製品の筐体や大画面テレビモニターなど大型の筐体など、複数の筐体を相互に連結して１つの筐体を構成するものが、多数存在している。
【０００３】
一般に、複数の筐体を相互に連結するための連結方式は多数存在する。例えば図８及び図９に示す様に、一方の筐体３００に、返しが筐体の外側となるように小さな爪（係合爪）４１を設け、他方の筐体４００に係合爪受け４２を設ける。係合爪４１と係合爪受け４２を係合することにより筐体相互を連結することができる。
また、図１０乃至図１２に示すように係合爪５１を可動式とし、筐体５００、６００を互いに連結する位置に配置した後に、可動式の係合爪５１を動かすことで、係合爪５１と係合爪受け５２の係合を行うことができる。これにより、筐体５００、６００自体を動かすこと無く、連結状態を変更することができる。
【０００４】
特許文献１には、分離体を確実にロックし、操作手順の間違いを防止するロック機構に関する技術が開示されている。これによれば、操作釦を操作することで第１のフック部材により複数の係合爪を同時に動作させ、係合爪によるロックを解除することができる。また、第１のフック部材と第２のフック部材のロックを解除する操作釦を１箇所に集約し、さらに操作方向を一致させることで、第１のフック部材と第２のフック部材を連動して動作させることができる。
【０００５】
特許文献２には電子機器の筐体について、第１の筐体と第２の筐体を係合する構造に関する技術が開示されている。これによれば、第１の筐体に設けられた一端が解放され解放部側が高くなるように傾斜したスライド溝を有する係合リブに対し、第２の筐体に設けられたスライド溝と同じ角度に傾斜する係合爪を係合することで、第１の筐体と第２の筐体の係合を行う。これにより、第１の筐体と第２の筐体の連結状態の変更に際して、第１の筐体と第２の筐体の接合部の摺接を減少させることができる。
【０００６】
特許文献３には、ワンタッチで連結動作および連結解除動作を行うことのできる、電子機器の筐体連結機構に関する技術が開示されている。これによれば、係合爪受けを有する筐体側にロッキングプレートを設けており、係合爪が係合爪受けと係合している状態において、ロッキングプレートをロック位置又は解放位置に移動させることにより、複数の係合爪を同時にロック又は解除することができる。
【０００７】
特許文献４には、電子機器システムおよび携帯型電子機器に用いる冷却装置に関して、固定フックを用いて、冷却装置と筐体とを固定する方法が開示されている。
【先行技術文献】
【特許文献】
【０００８】
【特許文献１】特開平１０−１２６０６３号公報
【特許文献２】特開平０８−１３０３８２号公報
【特許文献３】特開平１１−１６８２８４号公報
【特許文献４】特開２００２−２２３０９０号公報
【発明の概要】
【発明が解決しようとする課題】
【０００９】
しかしながら、特許文献１乃至特許文献４に開示されている技術による筐体の連結構造では、第１の筐体及び第２の筐体を任意に係脱することができるが、筐体同士を圧着させる力を係合爪により与えるものではない。すなわち、第１の筐体と第２の筐体が係合爪によってロックされた状態において、第１の筐体と第２の筐体が互いに引き寄せ合う力は係合爪と係合爪受けによっては与えられず、例えば、第１の筐体と第２の筐体を連結するネジを締めることにより行われている。
【００１０】
本発明は、このような問題点を解決するためになされたものであり、係合爪と係合爪受けの係合により第１の筐体と第２の筐体を互いに引き寄せ合う力を生ずる、筐体の連結構造を提供することを目的とする。
【課題を解決するための手段】
【００１１】
本発明の第１の態様は、複数の係合爪と、前記複数の係合爪が連結されている連結体と、前記連結体が一軸方向に摺動可能に設けられる第１の筐体と、前記係合爪が係合される複数の係合爪受けと、前記複数の係合爪受けが設けられる第２の筐体と、を備え、前記第１の筐体と前記第２の筐体とを向かい合わせ、前記連結体を一方に摺動させると、前記係合爪の先端部が前記係合爪受けに押し込まれ、相互の筐体が連結状態となり、前記連結体を他方に摺動させると、前記係合爪の先端部が前記係合爪受けから引き出され、相互の筐体の連結状態が解除され、前記係合爪は、前記第１の筺体側の縁部が前記先端部に向かって前記第２の筐体側に傾斜している筐体の連結構造である。
【発明の効果】
【００１２】
本発明により、係合爪と係合爪受けの係合によって第１の筐体と第２の筐体を互いに引き寄せ合う力を生ずる、筐体の連結構造を提供することができる。
【図面の簡単な説明】
【００１３】
【図１】実施の形態１にかかる筐体の構造を示す図である。
【図２】実施の形態１にかかる連結前の状態を示すＡ矢視図である。
【図３】実施の形態１にかかる連結途中の状態を示すＡ矢視図である。
【図４】実施の形態２にかかる係合爪と連結体の連結が弾性体を介する構造を示す図である。
【図５】実施の形態３にかかる駆動部の構造を示す図である。
【図６】実施の形態３にかかる駆動部の構造を示すＢ矢視図である。
【図７】実施の形態４にかかる連結体がワイヤーである場合の構造を示す図である。
【図８】関連する筐体の連結構造を示す図である。
【図９】関連する筐体の連結構造を示すＣ矢視図である。
【図１０】関連する筐体の可動式の係合爪を用いた連結状態を示す図である。
【図１１】関連する筐体の可動式の係合爪を用いた連結状態を解除した状態を示す図である。
【図１２】関連する筐体の可動式の係合爪を用いた連結状態を示すＤ矢視図である。
【発明を実施するための形態】
【００１４】
実施の形態１．
以下、図面を参照して本発明の実施の形態について説明する。図１乃至図３に本実施の形態にかかる筐体の連結構造の一例を示す。図１は、筐体の構造を示している。図２は筐体の連結前の状態のＡ矢視図であり、図３は連結途中の状態のＡ矢視図を示している。
【００１５】
筐体は、図１に示すように、第１の筐体１００と、第２の筐体２００とを備える。第１の筐体１００は、上面が開放された篭型形状に形成されている。第１の筐体１００の内部には、向かい合う側部に二個ずつ設けられる係合爪１１と、同一の側部に設けられた係合爪１１を連結する連結体１２とを備える。但し、係合爪１１の個数は特に限定されない。
【００１６】
係合爪１１は、図２に示すように、可動部１３と爪部１４とを備える。可動部１３は、第１の筐体１００における側部の内面に設けられている。可動部１３は、当該内面において一軸方向（矢印Ｘ方向）に摺動可能に設けられている。すなわち、可動部１３は、摺動方向に長いガイド穴１７が形成されている。ガイド穴１７には、当該内面に設けられたガイドピン１８が嵌め込まれている。これにより、可動部１３は、ガイドピン１８がガイド穴１７内を移動する範囲内で摺動する。ちなみに、ガイドピン１８は、ガイド穴１７から外れないよう、先端部に返しなどの外れ防止機構を有することが望ましい。
【００１７】
爪部１４の下部は、可動部１３に連結されている。爪部１４の上部は、第１の筐体１００の開口部から突出している。当該爪部１４の上部は、当該可動部１３の摺動方向における一方に向かって突出する係合部１５を備える。係合部１５は、第１の筐体１００側の縁部１５１が先端部１５２に向かうにつれ、当該第１の筐体１００から離れるように傾斜している。
【００１８】
連結体１２は板状である。連結体１２は、第１の筐体１００の向かい合う当該側部に沿って、それぞれ第１の筐体１００の底部上面に配置されている。各々の連結体１２の上面には、第１の筐体１００の同一の側部に設けられた係合爪１１の可動部１３が連結されている。すなわち、係合爪１１は、連結体１２の摺動量に基づいて移動する。
【００１９】
第２の筐体２００は、底面が開放された蓋型形状に形成されている。第２の筐体２００内部には、係合爪１１に対応するように係合爪受け２１を備える。
係合爪受け２１は、袋体２２を有するコの字状である。係合爪受け２１は、係合爪１１と開口部が向かい合う状態となるように、第２の筐体２００の側部内面に設けられている。
【００２０】
次に、本実施態様による筐体の連結動作について説明する。
第１の筐体１００と第２の筐体２００とを連結する際には、第１の筐体１００の開口部と第２の筐体２００の開口部とを向かい合わせて、第１の筐体１００と第２の筐体２００とを同一平面上に配置する。そして、連結体１２を一方に摺動させて、係合爪１１と係合爪受け２１とを互いに接近させ、係合部１５を先端部１５２から係合爪受け２１の袋体２２に押し込む。
【００２１】
このとき、係合部１５の第１の筐体１００側の縁部１５１は、図３に示すように、係合爪受け２１における袋体２２の内面に接触する。そして、係合部１５の第１の筐体１００側の縁部１５１は、先端部１５２に向かうにつれ、当該第１の筐体１００から離れるように傾斜している。そのため、係合部１５の先端部１５２が係合爪受け２１の袋体２２内に押し込まれるにつれ、第１の筐体１００と第２の筐体２００とを互いに引き寄せ合う力が発生する。ここで、複数の係合爪１１は連結体１２に連結されており、複数の係合爪１１と係合爪受け２１によって、第１の筐体１００と第２の筐体２００とを互いに引き寄せ合う力が同時に発生する。そのため、各々の係合部１５と係合爪受け２１との係合具体を良好に同期させることができ、均等に第１の筐体１００と第２の筐体２００とを連結することができる。このように、第１の筐体１００と第２の筐体２００とが良好に引き寄せられた状態で相互の筐体を連結状態とすることができる。
【００２２】
なお、係合部１５の第１の筐体１００側の縁部１５１の傾斜角を調整すること等により、係合したときの引き寄せ合う力の強さを、あらかじめ調整することができる。
ここで係合爪１１は、摺動方向については第１の筐体１００と独立して動作するため、係合爪１１の動作具合に基づき、第１の筐体１００と第２の筐体２００の位置がずれることはない。
【００２３】
これにより、可動式の係合爪１１に、第１の筐体１００と第２の筐体２００とを引き寄せる機能を持たせることができ、筐体のがたつきの防止や、第１の筐体１００と第２の筐体２００との間にパッキンを配し、防水機能を付加することも可能となる。
【００２４】
なお、第１の筐体１００と第２の筐体２００との連結状態を解除するには、連結体１２を他方に摺動させて、係合爪１１における係合部１５の先端部１５２を係合爪受け２１の袋体２２から引き出し、係合爪１１と係合爪受け２１との係合を解除すれば良い。このように係合爪１１の動作は、相互を係合する動作と同様に、可動部１３を摺動させる動作により行う。また、複数の係合爪１１は連結体１２に連結されているため、複数の係合爪１１を同時に動かし、係合を解除することができる。
【００２５】
実施の形態２．
図４に本実施の形態にかかる係合爪と連結体の連結が弾性体を介する構造の一例を示す。なお、図４において、前記実施態様と同一符号は、同一または相当部分を示しており、説明を省略する。
【００２６】
図４に示すように、第１の筐体１００の内部には、向かい合う側部に３個ずつ設けられる係合爪１１と、同一の側部に設けられる係合爪１１を連結する連結体１２と、係合爪１１と連結体１２を連結する弾性体１９を備える。但し、係合爪１１の個数は特に限定されない。
【００２７】
連結体１２は板状である。連結体１２は、第１の筐体１００の向かい合う当該側部に沿って、それぞれ第１の筐体１００の底部上面に配置されている。連結体１２は、上方に向かって突出する突起部１２１を備える。突起部１２１は、典型的には可動部１３に対し、係合爪１１と係合爪受け２１とを係合するべく、当該可動部１３を摺動させる方向側に配置する。なお連結体１２は、係合爪１１と直接連結していない。
【００２８】
係合爪１１と連結体１２は、弾性体１９を介して連結している。弾性体１９は、典型的にはばねを用いる。弾性体１９は、係合爪１１の可動部１３と、連結体１２の突起部１２１とを連結する。係合爪１１と係合爪受け２１とを係合させる場合に、可動部１３を摺動させる方向側と逆側の反発力を係合爪１１に与える。
また、弾性体１９は、それぞれ弾性係数が異なるものを使用することができる。
【００２９】
これにより、第１の筐体１００と第２の筐体２００を連結するよう、連結体１２を動かした場合であっても、係合爪１１の移動量を個別に調整することができる。すなわち、各係合爪１１が係合爪受け１２に挿入する量を、個別に調整することができる。
【００３０】
なお、連結後の筐体を分解することがないと予めわかっている場合には、弾性体１９により、可動部１３を摺動させる方向側の反発力を係合爪１１に与える。これにより、一度行った筐体の連結を解除できない構造とすることができる。
【００３１】
実施の形態３．
図５に本実施の形態にかかる筐体の連結構造の一例を示す。なお、図５において、前記実施態様と同一符号は、同一または相当部分を示しており、説明を省略する。
【００３２】
図５に示すように、第１の筐体１００の内部には、向かい合う側部に２個ずつ設けられる係合爪１１と、同一の側部に設けられる係合爪１１を連結する連結体１２と、連結体１２を当該内面において一軸方向（矢印Ｘ方向）に摺動させるための駆動部３１と、第１の筐体１００と第２の筐体２００を連結した場合に、駆動部３１を筐体外部から操作するために工具３４を挿入するための穴部３５を備える。但し、係合爪１１の個数は特に限定されない。
【００３３】
図６に、本実施の形態にかかる筐体の連結構造のＢ矢視図を示す。駆動部３１は第１の筐体１００の内部であって、ラックギア３２と、ピニオンギア３３とを備える。また、ピニオンギア３３は、専用工具挿入穴３６を備える。
【００３４】
ラックギア３２は、連結体１２の上面に連結されている。このラックギア３２のギア部分は、Ｘ方向に並んでいる。
【００３５】
ピニオンギア３３は、第１の筐体１００の側部の内面に回転可能に設けられ、専用工具挿入穴３６と第１の筐体１００の穴部３５とが重なるように配置されている。ピニオンギア３３は、ラックギア３２と噛み合わされている。
【００３６】
また、ピニオンギア３３は、中心部に専用工具挿入穴３６を備えている。専用工具挿入穴３６は工具３４と噛み合う形状（例えば、四角形）であって、第１の筐体１００の穴部３５から先端部が挿入された工具３４を回転させることにより、専用工具挿入穴３６を介して、ピニオンギア３３に回転力が与えられる。
【００３７】
なお、ラックギア３２のギア部分の長さを連結体１２が摺動する可動範囲より長くし、どのようにピニオンギア３３を動作させても、ラックギア３２とピニオンギア３３の噛み合い状態が解除されないことが望ましい。
【００３８】
次に、駆動部３１の動作について説明する。
ピニオンギア３３は、ラックギア３２と噛み合っている。これにより、ピニオンギア３３の回転力は、ラックギア３２の摺動方向（Ｘ方向）の移動力に変換される。また、ラックギア３２は連結体１２に連結されており、ラックギア３２が移動する力によって連結体１２が移動する。
【００３９】
したがって、第１の筐体１００と第２の筐体２００との連結状態を変更したい場合には、使用者が工具３４を穴部３５から専用工具挿入穴３６に挿入し、ピニオンギア３３に回転力を与える。これにより、ラックギア３２に力が加わり、ラックギア３２に連結されている連結体１２が摺動する。これにより、連結体１２と連結する複数の係合爪１１が摺動し、係合爪１１と係合爪受け１２の係合状態が変更される。
【００４０】
なお、工具３４は専用の工具とすることで、例えば、内部に危険な電気回路や、機構部品が存在するような場合に、工具を有する特定の人物のみが開けられるようにすることが可能である。
【００４１】
実施の形態４．
図７に連結体として線材を用いた筐体の連結構造の一例を示す。
連結体１２は、線材を備える。例えば、線材として細線ワイヤーを用いることができる。細線ワイヤーは複数の係合爪１１と連結しており、細線ワイヤーを摺動方向に動かすことにより、複数の係合爪１１を同時に動作させることができる。
なお、連結体１２として線材を用いることにより、小型の筐体について連結構造を実施することが容易となる。
【００４２】
なお、本発明は上記実施の形態に限られたものではなく、趣旨を逸脱しない範囲で適宜変更することが可能である。例えば、係合爪受け２１は袋体２２を有するコの字状でなくても良く、係合爪１１と係合する形態であれば、例えばフック状であってもよい。また、ラックギア３２は、連結体１２上に凹凸を直接設けることにより実現しても良い。
【符号の説明】
【００４３】
１１    係合爪
１２    連結体
１２１    突起部
１３    可動部
１４    係合部
１５    端部
１５１  縁部
１５２    先端部
１７    ガイド穴
１８    ガイドピン
１９    弾性体
２１    係合爪受け
２２    袋部
３１    駆動部
３２    ラックギア
３３    ピニオンギア
３４    工具
３５    穴部
３６    専用工具挿入穴
４１、５１    係合爪
５２、５２    係合爪受け
１００    第１の筐体
２００    第２の筐体
３００、４００、５００、６００    筐体
【図１】
2011091078.tif 000003
【図２】
2011091078.tif 000004
【図３】
2011091078.tif 000005
【図４】
2011091078.tif 000006
【図５】
2011091078.tif 000007
【図６】
2011091078.tif 000008
【図７】
2011091078.tif 000009
【図８】
2011091078.tif 000010
【図９】
2011091078.tif 000011
【図１０】
2011091078.tif 000012
【図１１】
2011091078.tif 000013
【図１２】
2011091078.tif 000014